【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を備える、方法。
【請求項２】
直交カバーコード（ＯＣＣ）は、前記第１のタイプの分割多重化方式を用いて適用される、請求項１に記載の方法。
【請求項３】
前記第２のＴＴＩは、ロングタームエボリューション（ＬＴＥ）サブフレームを備え、前記第１のＴＴＩは、１つまたは複数のＬＴＥシンボル期間を備える、請求項１に記載の方法。
【請求項４】
前記第１のＤＭＲＳパターンを示すシグナリングを受信することをさらに備え、前記第１のＤＭＲＳパターンが決定論的パターンを備える、請求項１に記載の方法。
【請求項５】
前記第１のＤＭＲＳパターンを示す前記シグナリングは、ポート値、もしくは低レイテンシデータチャネルおよび低レイテンシ制御チャネルの関係、またはそれらの任意の組合せのうちの少なくとも１つを備える、請求項４に記載の方法。
【請求項６】
前記第２のＴＴＩの制御領域を識別することと、
前記第２のＴＴＩの前記制御領域内の前記第１のＴＴＩ中に前記第１のＤＭＲＳパターンを使用する通信を控えることと
をさらに備える、請求項１に記載の方法。
【請求項７】
前記第２のＴＴＩ持続時間よりも少ない第３の持続時間を有する第３のＴＴＩを識別することと、
前記第３のＴＴＩのリソースに関するセル固有基準信号（ＣＲＳ）パターンを決定することと、
前記ＣＲＳパターンに少なくとも部分的に基づいて前記第３のＴＴＩのリソースを使用して通信することと
をさらに備える、請求項１に記載の方法。
【請求項８】
前記第１のＤＭＲＳパターンに少なくとも部分的に基づいて、前記第１のＴＴＩに関連する第１の低レイテンシ制御チャネル探索空間を監視することと、
前記ＣＲＳパターンに少なくとも部分的に基づいて、前記第３のＴＴＩに関連する第２の低レイテンシ制御チャネル探索空間を監視することと
をさらに備える、請求項７に記載の方法。
【請求項９】
前記第１のＴＴＩにおける制御チャネル探索空間を監視することをさらに備え、前記監視することが、前記第１のＤＭＲＳパターンまたはＣＲＳパターンに少なくとも部分的に基づく、請求項１に記載の方法。
【請求項１０】
前記第１のＴＴＩの前記リソースは、同じプリコーディングを有するリソースブロックのバンドルを備える、請求項１に記載の方法。
【請求項１１】
スクランブリング識別情報を含むシグナリングを受信することをさらに備え、通信することが、前記スクランブリング識別情報に少なくとも部分的に基づいて、前記第１のＤＭＲＳパターンのＤＭＲＳシンボルを前記第２のＤＭＲＳパターンのＤＭＲＳシンボルと区別することを備える、請求項１に記載の方法。
【請求項１２】
前記第１のＴＴＩのリソースを使用して前記通信することは、前記送信ランクに少なくとも部分的に基づく、請求項１に記載の方法。
【請求項１３】
前記第１のＤＭＲＳパターンに少なくとも部分的に基づいて第３のＴＴＩのリソースを使用して通信すること
をさらに備える、請求項１に記載の方法。
【請求項１４】
前記第３のＴＴＩは第３のＴＴＩ持続時間を有し、前記第２のＴＴＩ持続時間よりも少ない前記第３のＴＴＩ持続時間、請求項１３に記載の方法。
【請求項１５】
前記第３のＴＴＩは前記第２のＴＴＩ持続時間を有する、請求項１３に記載の方法。
【請求項１６】
ワイヤレス通信のための装置であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別するための手段と、
前記第１のＴＴＩのリソースに関する第１の復調基準信号（ＤＭＲＳ）パターンを決定するための手段と、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信するための手段と
を備える、装置。
【請求項１７】
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を行わせるように動作可能である、装置。
【請求項１８】
前記命令は、前記装置に、
前記第１のＤＭＲＳパターンを示すシグナリングを受信することを行わせるように実行可能であり、前記第１のＤＭＲＳパターンが決定論的パターンを備える、請求項１７に記載の装置。
【請求項１９】
前記命令は、前記装置に、
前記第２のＴＴＩの制御領域を識別することと、ここにおいて、前記第２のＴＴＩが前記第１のＴＴＩを備える、
前記第２のＴＴＩの前記制御領域内の前記第１のＴＴＩ中に前記第１のＤＭＲＳパターンを使用する通信を控えることと
を行わせるように実行可能である、請求項１７に記載の装置。
【請求項２０】
前記命令は、前記装置に、
前記第２のＴＴＩ持続時間よりも少ない第３のＴＴＩ持続時間を有する第３のＴＴＩを識別することと、
前記第３のＴＴＩのリソースに関するセル固有基準信号（ＣＲＳ）パターンを決定することと、
前記ＣＲＳパターンに少なくとも部分的に基づいて前記第３のＴＴＩのリソースを使用して通信することと
を行わせるように実行可能である、請求項１７に記載の装置。
【請求項２１】
前記命令は、前記装置に、
前記第１のＤＭＲＳパターンに少なくとも部分的に基づいて、前記第１のＴＴＩに関連する第１の低レイテンシ制御チャネル探索空間を監視することと、
前記ＣＲＳパターンに少なくとも部分的に基づいて、前記第３のＴＴＩに関連する第２の低レイテンシ制御チャネル探索空間を監視することと
を行わせるように実行可能である、請求項２０に記載の装置。
【請求項２２】
前記命令は、前記装置に、
前記第１のＴＴＩにおける制御チャネル探索空間を監視することを行わせるように実行可能であり、前記監視することが、前記第１のＤＭＲＳパターンまたはＣＲＳパターンに少なくとも部分的に基づく、請求項１７に記載の装置。
【請求項２３】
前記命令は、前記装置に、
スクランブリング識別情報を含むシグナリングを受信することを行わせるように実行可能であり、通信することが、前記スクランブリング識別情報に基づいて、前記第１のＤＭＲＳパターンのＤＭＲＳシンボルを前記第２のＤＭＲＳパターンのＤＭＲＳシンボルと区別することを備える、請求項１７に記載の装置。
【請求項２４】
前記命令は、前記装置に、
前記第１のＤＭＲＳパターンに少なくとも部分的に基づいて第３のＴＴＩのリソースを使用して通信することを行わせるように実行可能であり、前記第３のＴＴＩが第３のＴＴＩ持続時間を有し、前記第３のＴＴＩ持続時間が前記第２のＴＴＩ持続時間よりも少ない、請求項１７に記載の装置。
【請求項２５】
前記命令は、前記装置に、
前記第１のＤＭＲＳパターンに少なくとも部分的に基づいて第３のＴＴＩのリソースを使用して通信することを行わせるように実行可能であり、前記第３のＴＴＩが、前記第２のＴＴＩ持続時間に等しい持続時間を有する、請求項１７に記載の装置。
【請求項２６】
ワイヤレス通信のためのコードを記憶する非一時的コンピュータ可読媒体であって、前記コードは、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を行うように実行可能な命令を備える、非一時的コンピュータ可読媒体。
【請求項２７】
前記第１のタイプの多重化方式は、前記送信ランクが前記第２の送信ランクであることに少なくとも部分的に基づいて、ＣＤＭになるように選択される、請求項１に記載の方法。